(57)【要約】【課題】出力された画像情報が最初にどこで出力されたかを追跡調査可能な画像情報出力装置及び印刷装置、情報記録装置等を提供する。【解決手段】画像情報を出力する画像情報出力装置１は、画像情報に含まれる著作権情報を抽出し、抽出した著作権情報によって画像情報が著作権により保護されているか否かを判断する判断部１３と、装置を識別する識別番号を記録する識別番号記録部１４と、画像情報が著作権により保護されていると判断されたとき、画像情報と識別番号とを出力する出力部１６と、を有する。これにより、著作権により保護された画像情報は、それを復号化した画像情報出力装置１の機器を特定し識別する識別番号とともに識別番号込み画像情報として出力されるので、この識別番号込み画像情報をプリンタが印刷した場合、印刷物に印刷された識別番号に基づいてその画像情報の出所を追跡調査することが可能となる。【選択図】図１
2009048221.tif 000002
【特許請求の範囲】
【請求項１】
画像情報に含まれる著作権情報を抽出する抽出手段と、
前記抽出した著作権情報に基づいて前記画像情報が著作権により保護されているか否かを判断する判断手段と、
画像情報出力装置を識別する識別番号を記録する識別番号記録手段と、
前記画像情報が著作権により保護されていると判断されたとき、当該画像情報と前記識別番号とを出力する出力手段と、
を有することを特徴とする画像情報出力装置。
【請求項２】
請求項１に記載の画像情報出力装置において、
前記画像情報と前記識別番号とを一体とした識別番号込み画像情報を生成する生成手段を更に有し、
前記出力手段は前記生成された識別番号込み画像情報を出力することを特徴とする画像情報出力装置。
【請求項３】
請求項２に記載の画像情報出力装置において、
前記識別番号込み画像情報は出力後に印刷されるものであって、
前記生成手段は、前記識別番号の印刷位置が前記画像情報の印刷位置に重ならないように配置した前記識別番号込み画像情報を生成することを特徴とする画像情報出力装置。
【請求項４】
請求項２に記載の画像情報出力装置において、
前記識別番号込み画像情報は出力後に印刷されるものであって、
前記生成手段は、前記識別番号の印刷位置が前記画像情報の印刷位置に重なるように配置した前記識別番号込み画像情報を生成することを特徴とする画像情報出力装置。
【請求項５】
請求項２乃至請求項４のいずれか一項に記載の画像情報出力装置において、
前記識別番号込み画像情報を印刷する印刷手段を更に有することを特徴とする画像情報出力装置。
【請求項６】
請求項２乃至請求項４のいずれか一項に記載の画像情報出力装置において、
前記出力手段は前記識別番号込み画像情報を記録媒体に記録することを特徴とする画像情報出力装置。
【請求項７】
請求項１に記載の画像情報出力装置において、
前記出力手段は、前記画像情報と前記識別番号とを分けて出力することを特徴とする画像情報出力装置。
【請求項８】
画像情報が著作権により保護されていると判断されたとき、画像情報と画像情報出力装置を識別する識別番号とを出力する当該画像情報出力装置と接続した印刷装置において、
前記画像情報装置が出力する前記画像情報と前記識別番号とを受信する受信手段と、
前記受信した画像情報と識別番号の印刷時の配置を決定する配置決定手段と、
前記決定された配置に基づいて前記画像情報と前記識別番号とを印刷する印刷手段と、
を有することを特徴とする印刷装置。
【請求項９】
請求項８に記載の印刷装置において、
前記配置決定手段は、前記識別番号が前記画像情報の印刷位置に重ならないように配置を決定することを特徴とする印刷装置。
【請求項１０】
請求項８に記載の印刷装置において、
前記配置決定手段は、前記識別番号が前記画像情報の印刷位置に重なるように配置を決定することを特徴とする印刷装置。
【請求項１１】
画像情報が著作権により保護されていると判断されたとき、画像情報と画像情報出力装置を識別する識別番号とを出力する当該画像情報出力装置と接続した情報記録装置において、
前記画像情報装置が出力する前記画像情報と前記識別番号とを受信する受信手段と、
前記画像情報と前記識別番号とを記録媒体に記録する記録手段と、
を有することを特徴とする情報記録装置。
【請求項１２】
画像情報出力装置を識別する識別番号を記録する画像情報出力装置に含まれるコンピュータを、
前記画像情報に含まれる著作権情報を抽出する抽出手段と、
前記抽出した著作権情報によって前記画像情報が著作権により保護されているか否かを判断する判断手段と、
前記画像情報が著作権により保護されていると判断されたとき、当該画像情報と前記識別番号とを出力させる出力制御手段、
として機能させることを特徴とする画像情報出力プログラム。
【請求項１３】
画像情報が著作権により保護されていると判断されたとき、画像情報と画像情報出力装置を識別する識別番号とを出力する当該画像情報出力装置と接続した印刷装置に含まれるコンピュータを、
前記画像情報装置が出力する前記画像情報と前記識別番号の受信を制御する受信制御手段と、
前記受信した画像情報と識別番号の印刷時の配置を決定する配置決定手段と、
前記決定された配置に基づいて前記画像情報と前記識別番号とを印刷させる印刷制御手段、
として機能させることを特徴とする印刷プログラム。
【請求項１４】
画像情報が著作権により保護されていると判断されたとき、画像情報と画像情報出力装置を識別する識別番号とを出力する当該画像情報出力装置と接続した情報記録装置に含まれるコンピュータを、
前記画像情報装置が出力する前記画像情報と前記識別番号の受信を制御する受信制御手段と、
前記画像情報と前記識別番号とを記録媒体に記録させる記録制御手段、
として機能させることを特徴とする情報記録プログラム。
【発明の詳細な説明】
【技術分野】
【０００１】
本願は、画像情報出力装置及び印刷装置、情報記録装置並びに画像情報出力プログラム及び印刷プログラム、情報記録プログラムの技術分野に属し、特に、著作権により保護された画像情報を出力する画像情報出力装置及び印刷装置、情報記録装置等の技術分野に属する。
【背景技術】
【０００２】
従来から、画像情報に著作権に関する情報を付帯的に記録し、画像を表示するたびに著作権に関する情報を表示する技術は紹介されていた（例えば、特許文献１参照）。
【特許文献１】特開２００２−２３０２３１号公報（段落番号［０１３４］）
【発明の開示】
【発明が解決しようとする課題】
【０００３】
しかしながら、上記従来技術では、印刷する画像情報の著作権に関する情報を付加して印刷等の出力を行っているものの、出力を行う機体の固有情報を付加していない。従って、出力された画像情報に基づいてその画像情報がどの出力装置によって出力されてかを追跡調査することは困難であり、著作権保護された画像情報を違法に流通させようとする者を抑止できない、などの問題を有していた。
【０００４】
本願は上記の各問題点に鑑みてなされたものであって、その課題の一例は、印刷等の出力を行った際に、その出力を行った機体の固有情報も同時に出力することで、その画像情報が最初にどこで出力されたものであるかを後に追跡調査することが可能となる画像情報出力装置及び印刷装置、情報記録装置等を提供することにある。
【課題を解決するための手段】
【０００５】
以下、本願について説明する。
【０００６】
上記の課題を解決するために、請求項１に記載の画像情報出力装置は、画像情報に含まれる著作権情報を抽出する抽出手段と、抽出した著作権情報に基づいて画像情報が著作権により保護されているか否かを判断する判断手段と、画像情報出力装置を識別する識別番号を記録する識別番号記録手段と、画像情報が著作権により保護されていると判断されたとき、画像情報と識別番号とを出力する出力手段と、を有することを特徴とする。
【０００７】
上記の課題を解決するために、請求項８に記載の印刷装置は、画像情報が著作権により保護されていると判断されたとき、画像情報と画像情報出力装置を識別する識別番号とを出力する当該画像情報出力装置と接続した印刷装置において、画像情報装置が出力する画像情報と識別番号とを受信する受信手段と、受信した画像情報と識別番号の印刷時の配置を決定する配置決定手段と、決定された配置に基づいて画像情報と識別番号とを印刷する印刷手段と、を有することを特徴とする。
【０００８】
上記の課題を解決するために、請求項１１に記載の情報記録装置は、画像情報が著作権により保護されていると判断されたとき、画像情報と画像情報出力装置を識別する識別番号とを出力する当該画像情報出力装置と接続した情報記録装置において、画像情報装置が出力する画像情報と識別番号とを受信する受信手段と、画像情報と識別番号とを記録媒体に記録する記録手段と、を有することを特徴とする。
【０００９】
上記の課題を解決するために、請求項１２に記載の画像情報出力プログラムは、画像情報出力装置を識別する識別番号を記録する画像情報出力装置に含まれるコンピュータを、画像情報に含まれる著作権情報を抽出する抽出手段と、抽出した著作権情報によって画像情報が著作権により保護されているか否かを判断する判断手段と、画像情報が著作権により保護されていると判断されたとき、画像情報と識別番号とを出力させる出力制御手段、として機能させることを特徴とする。
【００１０】
上記の課題を解決するために、請求項１３に記載の印刷プログラムは、画像情報が著作権により保護されていると判断されたとき、画像情報と画像情報出力装置を識別する識別番号とを出力する当該画像情報出力装置と接続した印刷装置に含まれるコンピュータを、画像情報装置が出力する画像情報と識別番号の受信を制御する受信制御手段と、受信した画像情報と識別番号の印刷時の配置を決定する配置決定手段と、決定された配置に基づいて画像情報と識別番号とを印刷させる印刷制御手段、として機能させることを特徴とする。
【００１１】
上記の課題を解決するために、請求項１４に記載の情報記録プログラムは、画像情報が著作権により保護されていると判断されたとき、画像情報と画像情報出力装置を識別する識別番号とを出力する当該画像情報出力装置と接続した情報記録装置に含まれるコンピュータを、画像情報装置が出力する画像情報と識別番号の受信を制御する受信制御手段と、画像情報と識別番号とを記録媒体に記録させる記録制御手段、として機能させることを特徴とする。
【発明を実施するための最良の形態】
【００１２】
次に、本願に対応する最良の実施形態について、図面に基づいて説明する。
【００１３】
本願は、例えば、ＴＶ受信機において受信したＴＶ映像が著作権により保護されているとき、或いは、ＨＤ（Ｈａｒｄ  Ｄｉｓｋ）ドライブやＤＶＤ（Ｄｉｇｉｔａｌ  Ｖｅｒｓａｔｉｌｅ  Ｄｉｓｋ）ドライブ等の録画再生機器若しくは再生装置、又は、パソコンから出力される映像情報が著作権により保護されているときに、静止画としての画像情報、又は、動画である映像情報中の静止画としての画像情報を再生して出力する画像情報出力装置であって、画像情報の印刷、或いは、記録媒体への記録といった、外部への出力を行う画像情報出力装置に適用可能である。
【００１４】
（第一の実施形態）
図１に第一の実施形態に係る画像情報出力装置１の構成を示す簡易ブロック図を示す。本第一の実施形態では、ＴＶ受信部１１で受信した映像信号が処理されてプリンタ３１へ出力される場合を例にして以下に説明する。説明を簡略化するため音声信号の扱いは省略する。
【００１５】
画像情報出力装置１は、ＴＶ信号を受信するＴＶ受信部１１と、受信した映像信号ＳａｖをＴＶ受信部１１から受け取り復号化して画像情報として出力するＴＶデコーダ１２と、復号化された画像情報が著作権により保護されているか否かを判断する判断部１３と、画像情報出力装置１を識別する識別番号を記録する識別番号記録部１４と、画像情報と識別番号とを一体として画像形式の識別番号込み画像情報を生成する生成部１５と、生成された画像情報を出力する出力部１６と、他の機器からの入力を受け付ける入力端子１７と、映像信号を他の機器へ出力する出力端子１８と、を有して構成される。
【００１６】
ＴＶ受信部１１は、ＴＶ信号を受信して映像信号Ｓａｖを出力するとともに、チャンネル信号Ｓｃｈを出力する。
【００１７】
ＴＶデコーダ１２は、ＴＶ受信部１１から入力された映像信号Ｓａｖを受け取り復号化して画像情報として判断部１３に出力している。
【００１８】
判断部１３は、例えば、ＣＰＵ（Ｃｅｎｔｒａｌ  Ｐｒｏｃｅｓｓｉｎｇ  Ｕｎｉｔ：中央処理装置）で構成され、復号化された画像情報から著作権情報を抽出し、画像情報が著作権により保護されているか否かを判断する。更に、画像情報中の著作権者情報の有無の判断、著作権者情報又は画像情報が著作権により保護された情報であることを示す情報の生成を行う。
【００１９】
識別番号記録部１４は、例えば、不揮発メモリであるＲＯＭ（Ｒｅａｄ  Ｏｎｌｙ  Ｍｅｍｏｒｙ）で構成され、画像情報出力装置１を特定し識別する識別番号を記録している。識別番号については後述する。
【００２０】
生成部１５は、復号化された画像情報と識別番号記録部に記録された識別番号とに基づいて識別番号込み画像情報を生成している。識別番号込み画像情報については後述する。
【００２１】
出力部１６は、例えば、ＣＰＵやＤ／Ａ（ディジタル／アナログ）コンバータで構成され、画像情報や生成された識別番号込み画像情報を外部出力に適した形式に変換し出力している。
【００２２】
尚、ここで、例えば、第一の実施形態における画像情報出力装置１は本願に係る画像情報出力装置を、判断部１３は本願に係る抽出手段及び判断手段を、識別番号記録部１４は本願に係る識別番号記録手段を、生成部１５は本願に係る生成手段を、出力部１６は本願に係る出力手段及び出力制御手段を、それぞれ構成する。
【００２３】
次に、以上の構成を有する画像情報出力装置１の動作を以下に説明する。
【００２４】
ＴＶ受信部１１において受信した映像信号ＳａｖはＴＶデコーダ１２において復号化され画像情報として判断部１３へ入力される。
【００２５】
判断部１３において、入力された画像情報から著作権に関する情報が抽出される。そして、抽出された著作権に関する情報に基づいて、入力された画像情報が著作権によって保護された情報であるか否かが判断される。
【００２６】
著作権によって保護された情報ではないと判断されたとき、その画像情報は出力部１６へ出力される。
【００２７】
一方、著作権によって保護された情報であると判断されたとき、入力された画像情報に著作権者情報が含まれているか否かが判断される。
【００２８】
著作権者情報が含まれている、或いは、著作権者情報を生成することができるとき、その著作権者情報をその画像情報に付加する。そして、その画像情報を生成部１５に出力する。
【００２９】
一方、著作権者情報が含まれておらず、著作権者情報を生成することができないとき、判断部１３は、その画像情報が著作権により保護された情報である旨を示す情報をその画像情報に付加する。そして、その画像情報を生成部１５に出力する。
【００３０】
このように著作権により保護された画像情報が入力される生成部１５において、画像情報に識別番号記憶部１４から得られるその装置を特定する識別番号が付加されて識別番号込み画像情報が生成され、出力部１６に出力される。
【００３１】
著作権によって保護されていない画像情報、又は、識別番号込み画像情報のいずれかの入力を受けた出力部１６は、外部出力に適した形式に変換してプリンタ３１へと出力する。
【００３２】
ここで、画像情報に含まれる著作権に関する情報としては、著作権情報と著作権者情報とが挙げられる。
【００３３】
著作権情報とは、画像情報の複写の許否を示すコピー制御情報（Ｃｏｐｙ  Ｃｏｎｔｒｏｌ  Ｉｎｆｏｒｍａｔｉｏｎ）をいい、コピー自由（ｃｏｐｙ  ｆｒｅｅ）、１回のコピーを許可するコピーワンス（ｃｏｐｙ  ｏｎｃｅ）、コピー禁止（ｃｏｐｙ  ｐｒｏｈｉｂｉｔｔｅｄ）の別がある。これに対して、著作権者情報とは、著作権者の属性を示す情報をいい、ＴＶ放送を受信することで得られる画像信号の場合、放送チャンネル、放送局名、番組名、上記以外の付随情報、が考えられる。ＤＶＤを再生して得られる画像信号の場合、ディスクタイトル名、発売元名が挙げられる。
【００３４】
具体的には、画像信号の種類がアナログ放送（地上波放送、ＢＳ放送（Ｂｒｏａｄｃａｓｔｉｎｇ  Ｓａｔｅｌｌｉｔｅ：放送衛星を使った放送）、ＣＳ放送（Ｃｏｍｍｕｎｉｃａｔｉｏｎ  Ｓａｔｅｌｌｉｔｅ：通信衛星を使った放送）を含む）の場合、画像信号中に著作権情報は含まれていない。画像信号に関する著作権者情報として、放送チャンネル、放送局名（ＥＰＧ（Ｅｌｅｃｔｒｏｎｉｃ  Ｐｒｏｇｒａｍ  Ｇｕｉｄｅ：電子番組ガイド）データより取得）、番組名（ＥＰＧデータより取得）が挙げられる。
【００３５】
画像信号の種類がディジタル放送の場合、著作権情報としてディジタルコピー制御記述子、コンテント利用記述子、有料放送に関する記述子などがあり、著作権者情報として、放送チャンネル、放送局名（ＢＩＴ（Ｂｒｏａｄｃａｓｔｅｒ  Ｉｎｆｏｒｍａｔｉｏｎ  Ｔａｂｌｅ）のｃｈａｎｎｅｌ  ｎａｍｅより取得）、番組名（ＥＩＴ（Ｅｖｅｎｔ  Ｉｎｆｏｒｍａｔｉｏｎ  Ｔａｂｌｅ）のｔｉｔｌｅ  ｎａｍｅより取得）、上記以外の付随情報（ＥＩＴ内のｔｉｔｌｅ  ｄｅｔａｉｌ等に映像の著作権情報がある場合）を付加することが考えられる。
【００３６】
ここで、ディジタルコピー制御記述子は蓄積装置におけるコピー世代を制御する情報を示し、蓄積が行われることが想定される場合に、著作権者が画像信号の蓄積、コピーに関する情報をディジタル蓄積装置に伝えるために用いられるものである。コンテント利用記述子は蓄積や出力を制御する情報を示し、著作権者が画像信号の蓄積や出力の制御を行うときに、ディジタルコピー制御記述子と組み合わせて用いられるものである。ディジタルコピー制御記述子がコピー禁止を示していても、コンテント利用記述子の内容によっては一時蓄積を可能とする場合がある点が特徴的である。
【００３７】
尚、受信した画像信号が暗号化されている場合、著作権により保護されていると自動的にみなすようにしてもよい。更に、コピー禁止、あるいは、コピーワンスといった条件を付しているものと自動的に判断するようにしてもよい。
【００３８】
画像信号の種類がＤＶＤを再生して得られる画像信号の場合、著作権情報として、ＣＧＭＳ（Ｃｏｐｙ  Ｇｅｎｅｒａｔｉｏｎ  Ｍａｎａｇｅｍｅｎｔ  Ｓｙｓｔｅｍ）、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）、ＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）、ＣＳＳ（Ｃｏｎｔｅｎｔ  Ｓｃｒａｍｂｌｅ  Ｓｙｓｔｅｍ）が画像信号中に含まれることがあり、著作権者情報として、ディスクタイトル名、発売元名が付加されることが挙げられる。以上の内容を図２にまとめる。
【００３９】
また、識別番号記憶部に記憶されている識別番号は、画像情報再生装置が使われる機器の種類によって異なる。画像情報再生装置が使われる機器がＴＶ受信機の場合、型番名とシリアル番号との組み合わせ、又は、メーカ名及び型番名、シリアル番号の組み合わせ（以下「（メーカ名＋）型番名＋シリアル番号」とする）などが考えられ、画像情報再生装置が使われる機器がＴＶ受信機に接続して使用されるＨＤＤ（Ｈａｒｄ  Ｄｉｓｋ  Ｄｒｉｖｅ）レコーダやＤＶＤレコーダといった録画再生機器の場合、（メーカ名＋）型番名＋シリアル番号、あるいは、著作権（ＣＰＲＭ等）の管理番号などが考えられる。画像情報再生装置がＨＤドライブに録画された映像を出力する画像出力装置として使用される場合は（メーカ名＋）型番名＋シリアル番号などが考えられる。また、画像情報再生装置がＤＶＤドライブに録画された映像を出力する画像出力装置として使用される場合は（メーカ名＋）型番名＋シリアル番号などが考えられる。更に、画像情報再生装置がＬＡＮ（Ｌｏｃａｌ  Ａｒｅａ  Ｎｅｔｗｏｒｋ）コントローラに使用される場合はＭＡＣ（Ｍｅｄｉａ  Ａｃｃｅｓｓ  Ｃｏｎｔｒｏｌ）アドレスなどが考えられる。更にまた、画像情報再生装置がＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠したＬＳＩ（Ｌａｒｇｅ  Ｓｃａｌｅ  Ｉｎｔｅｇｒａｔｉｏｎ）に使用される場合は著作権（ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）等）の管理番号などが考えられる。このように、画像情報再生装置が使われる機器の種類によって定められる機器を特定し識別できる番号であれば良い。以上の内容を図３にまとめる。
【００４０】
次に、以上に説明した画像情報出力装置１内の画像情報出力方法の一連の動作を、図４に示すフローチャートに従って説明する。
【００４１】
ユーザの操作によって画像情報の出力を指示されたとき、本フローチャートは動作を開始する。
【００４２】
復号化された影像情報のうち、ユーザにより指定された画像情報から著作権に関する情報が抽出される（ステップＳ１）。
【００４３】
画像情報が著作権により保護されたものであるか否かが、抽出された著作権に関する情報のうち著作権情報により判断される（ステップＳ２）。具体的には、画像信号が復号化された画像情報から抽出された著作権情報に基づいて判断される。
【００４４】
対象となる画像情報が保護されたものではないと判断された場合（ステップＳ２：Ｎ）、その画像情報は識別番号が付加されることなくそのまま出力される（ステップＳ７）。
【００４５】
対象となる画像情報が保護されたものであると判断された場合（ステップＳ２：Ｙ）、ステップＳ３に移行し、対象となる画像情報に付帯する著作権者情報があるか否かが判断部１３において判断される（ステップＳ３）。
【００４６】
具体的には、画像信号がアナログ放送を受信して得られたものである場合、その放送電波による画像信号中に著作権者情報を含んでいないが、そのＴＶ放送を受信したＴＶ受信部１１から出力されるチャンネル信号Ｓｃｈに基づいて著作権者情報を生成することができるため、付帯する著作権者情報はあると判断される（ステップＳ３：Ｙ）。生成する方法については後述する。
【００４７】
ディジタル放送を受信して得られた画像信号の場合、画像信号に著作権者情報が含まれる場合は、付帯する著作権者情報はあると判断される（ステップＳ３：Ｙ）。画像信号に著作権者情報が含まれていない場合、例えば、何らかの理由で放送信号にコピー保護の著作権情報は付されているが著作権者情報が付帯していない場合、アナログ信号の場合と同様に、画像情報出力装置１が著作権者情報を生成することができるため、付帯する著作権者情報はあると判断される（ステップＳ３：Ｙ）。
【００４８】
そして、このように著作権者情報があると判断された場合（ステップＳ３：Ｙ）、著作権者情報を画像情報に付加する（ステップＳ４）。
【００４９】
一方、何らかの理由でチャンネル信号Ｓｃｈに基づいて著作権者情報を生成することができず、対象となる画像情報に付帯する著作権者情報はないと判断された場合（ステップＳ３：Ｎ）、付帯する著作権者情報はないと判断される（ステップＳ３：Ｎ）。この場合、その画像情報が著作権により保護された情報であることを示す情報を生成してその画像情報に付加する（ステップＳ５）。
【００５０】
ステップＳ４において著作権者情報が付帯された後、或いは、ステップＳ５において画像情報が著作権により保護された情報であること示す情報が付加された後、その画像情報に識別番号が付加されて識別番号込み画像情報が生成される（ステップＳ６）。具体的には、上述した通り、画像情報出力装置１が使われる機器の種類によって定められる機器を特定し識別する識別情報を識別番号記録部１４から取り出し、画像情報に付加することで識別番号込み画像情報を生成する（ステップＳ６）。
【００５１】
ステップＳ２において画像情報が著作権により保護されたものではないと判断された場合（ステップＳ２：Ｎ）、或いは、ステップＳ６において識別情報が付加された後、画像情報又は識別番号込み画像情報は出力部１６を介して外部へ出力される（ステップＳ７）。以上により、本フローチャートは終了する。
【００５２】
ここで、第一の実施形態においては、例えば、ステップＳ１の処理が実行されることにより請求項１２に記載の「抽出手段」が、ステップＳ２の処理が実行されることにより請求項１２に記載の「判断手段」が、ステップＳ７の処理が実行されることにより請求項１２に記載の「出力制御手段」が、実現される。
【００５３】
次に、画像信号中に著作権者情報が含まれていない場合に、他の情報を基に著作権者情報を生成する方法について説明する。
【００５４】
アナログ放送の場合、放送チャンネル、放送局名、番組名、を用いて生成する。ディジタル放送の場合、放送チャンネル、放送局名、番組名、或いは、上記以外の付随情報を用いて生成する。ＤＶＤを再生して得られる画像信号の場合、ディスクタイトル名、発売元名を用いて生成する。
【００５５】
次に、識別番号込み画像情報について説明する。
【００５６】
著作権により保護された画像情報に識別番号記録部１４から取り出した識別番号を付加し、画像形式とすることで識別番号込み画像情報が生成される。画像情報に付加された著作権者情報を併せて付加することもできる。作成した識別情報込み画像情報を実際に印刷したときの例を図５（ａ）に示す。
【００５７】
以上に説明したように、第一の実施形態に係る画像情報出力装置１によれば、著作権により保護された画像情報はそれを復号化した画像情報出力装置の識別番号とともに識別番号込み画像情報として出力されるので、この識別番号込み画像情報を受け取ったプリンタ３１が印刷した場合、印刷物を頼りにその画像情報の出所を追跡調査することが可能となる。
【００５８】
以上をまとめると、画像情報を出力する画像情報出力装置１は、画像情報に含まれる著作権情報を抽出し、抽出した著作権情報によって画像情報が著作権により保護されているか否かを判断する判断部１３と、装置を識別する識別番号を記録する識別番号記録部１４と、画像情報が著作権により保護されていると判断されたとき、画像情報と識別番号とを出力する出力部１６と、を有する。
【００５９】
更に、この画像情報出力装置１は、画像情報と識別番号とを一体とした画像形式の識別番号込み画像情報を生成する生成部１５を更に有し、出力部１６は生成された識別番号込み画像情報を出力することもできる。
【００６０】
画像情報出力プログラムは、画像情報を出力する画像情報出力装置１を識別する識別番号を記録する画像情報出力装置１に含まれるコンピュータを、画像情報に含まれる著作権情報を抽出し、抽出した著作権情報によって画像情報が著作権により保護されているか否かを判断する判断部１３と、画像情報が著作権により保護されていると判断されたとき、画像情報と識別番号の出力を制御する出力部１６、として機能させる。
【００６１】
これにより、出力された識別番号込み画像情報又は識別情報を基にして、その画像情報がどの画像情報出力装置１によって最初に復号化された、或いは出力されたかを追跡調査することが可能となる。よって、著作権保護された画像情報を違法に流通させようとする者に対して、心理的な抑止力として働く。
【００６２】
なお、本願の第一の実施形態は上記に限定されるものではなく、例えば以下のように変形してもよい。
【００６３】
上記第一の実施形態では、出力される識別番号込み画像情報は図５（ａ）に示すように識別番号が画像領域に重ならないように配置したものであるが、これに限定されるものではなく、図５（ｂ）に示すように、識別番号が画像領域に重なるように配置しても良い。識別番号が画像領域に重なるように配置した場合、識別番号と画像領域との境界を明確に分けるようにしてもよく、或いは、境界を明確に分けるのではなく画像の色調を変化させることで、画像情報を印刷した場合に印刷物から識別番号が判別できるようにしてもよい。いずれの場合も、画像に影響を与えることなく識別番号を除去することが困難になる。
【００６４】
また、図４に示したフローチャートに対応するプログラムをフレキシブルディスク又はハードディスク等の情報記録媒体に記録しておき、又はプログラムをインターネット等のネットワーク、または電話回線を介して配信して記録しておき、これを上記判断部１３に備えられている汎用のマイクロコンピュータ等により読み出して実行させることにより、各マイクロコンピュータ等を夫々上記判断部１３又は生成部１５、出力部１６として機能させることも可能である。
【００６５】
上記第一の実施形態では、ＴＶ受信部１１で受信した映像信号が入力される場合を説明したが、これに限定されることはなく、ＨＤドライブ２２やＤＶＤドライブ２３等の録画再生機器若しくは再生装置、又は、パソコン２４から出力される映像情報が入力される場合にも適用可能である。
【００６６】
この場合、例えば、ＤＶＤを再生して得られる画像信号の場合、上記ステップＳ３において、得られた画像情報に著作権者情報が含まれるとき、付帯する著作権者情報はあると判断される（ステップＳ３：Ｙ）。著作権者情報が含まれないときであっても、ＤＶＤにディスクタイトルや発売元等の情報が書かれている場合、そのディスクタイトルや発売元等の情報を基に画像情報出力装置が著作権者情報を生成することができるため、付帯する著作権者情報はあると判断される（ステップＳ３：Ｙ）。そして、このように著作権者情報があると判断された場合（ステップＳ３：Ｙ）、著作権者情報を画像情報に付加する（ステップＳ４）。
【００６７】
一方、ＤＶＤにディスクタイトルや発売元等の情報が書かれていない場合、例えば、個人的家庭的に使用する目的で撮影された画像信号であってＤＶＤにタイトルを記録していない場合、或いは、市販のＤＶＤで何らかの理由によりディスクタイトルや発売元等の情報をＤＶＤ上に記録していない場合等、著作権者情報を生成することができない場合、付帯する著作権者情報はないと判断される（ステップＳ３：Ｎ）。
【００６８】
上記第一の実施形態では、出力先としてプリンタ３１に適用した場合を説明したが、これに限定されることはなく、記録媒体に記録する記録装置３２に出力することも可能である。
【００６９】
具体的には、画像情報が著作権により保護されていると判断されたとき、画像情報と識別番号とを出力する画像情報出力装置１と接続した記録装置３２は、画像情報装置１が出力する画像情報と識別番号とを受信する受信手段の一例としてのインターフェイス３３と、画像情報と識別番号とを記録媒体に記録する記録手段の一例としての記録ヘッド３４と、を有する。
【００７０】
情報記録プログラムは、画像情報が著作権により保護されていると判断されたとき、画像情報と識別番号とを出力する画像情報出力装置１と接続した記録装置３２に含まれるコンピュータを、画像情報装置１が出力する画像情報と識別番号の受信を制御する受信制御手段と、画像情報と識別番号とを記録媒体に記録する記録手段、として機能させる。
【００７１】
この場合、記録した画像情報を二次使用しようとすればどの画像情報再生装置１で最初に復号化したかが追跡可能であるから、著作権により保護された画像情報を違法に使用しようとする者に対して心理的な抑止力としての効果がある。
【００７２】
上記第一の実施形態及び上記変形例ではプリンタ３１及び記録装置３２を画像情報出力装置１とは別個独立の装置として説明しているが、これに限定されることはなく、画像情報出力装置が印刷機能又は記録媒体への記録機能を有するようにしてもよい。
【００７３】
（第二の実施形態）
図６に第二の実施形態に係る画像情報出力装置２及びプリンタ４１の構成を示す簡易ブロック図を示す。
【００７４】
上記第一の実施形態では、画像情報出力装置１側で識別番号込み画像情報を生成して出力する場合を説明したが、以下に説明する第二の実施形態では、画像情報出力装置２は画像情報と識別情報とを一つの情報にまとめることなく別個に出力し、出力された画像情報と識別番号とを受信したプリンタ４１で画像情報と識別番号とをセットにして印刷を行う例を説明する。
【００７５】
画像情報出力装置２について
第二の実施形態に係る画像情報出力装置２は、上記第一の実施形態に係る画像情報出力装置１と同様の装置構成をしているが、画像情報と識別情報とを別個に出力するので生成部を有していない点、識別番号記録部１４が出力部１６に接続している点が相違する。
【００７６】
プリンタ４１について
上記画像情報出力装置２によって出力された画像情報と識別番号とを受けた受信したプリンタ４１の構成及び動作について以下に説明する。
【００７７】
プリンタ４１は、画像情報出力装置２が別個に出力する画像情報と識別番号とを受信する受信部４２と、受信した画像情報と識別番号の印刷時の配置を決定する配置決定部４３と、決定された配置に基づいて画像情報と識別番号とを印刷する印刷部４４と、を有して構成される。
【００７８】
受信部４２は、画像情報出力装置２から出力されプリンタケーブル４５を介して送られる画像情報と識別番号とを受信する受信ポートである。
【００７９】
配置決定部４３は、例えば、ＣＰＵ４６やディスプレイ４７、操作ボタン４８等で構成され、受信した画像情報と識別番号との配置位置を決定する。ユーザはディスプレイ４７に表示された画像配置を見ながら識別番号を画像に対してどの位置に配置すればよいか検討できるようにしている。そして、このように、ユーザの指示に従って配置が決定されたとき、ＣＰＵ４６は印刷データを生成する。
【００８０】
印刷部４４は、例えば、プリンタヘッド等及び駆動部で構成され、配置決定部４３で作成された印刷データを印刷する。
【００８１】
尚、ここで、例えば、第二の実施形態における画像情報出力装置２は本願に係る画像情報出力装置を、受信部４２は本願に係る受信手段を、配置決定部４３は本願に係る配置決定手段及び受信制御手段、印刷制御手段を、印刷部４４は本願に係る印刷手段を、それぞれ構成する。
【００８２】
以上の構成を有するプリンタ４１の動作を以下に説明する。
【００８３】
画像情報出力装置２からプリンタケーブル４５を介して受信した識別情報と画像情報とを、プリンタ４１は内部に有するメモリバッファ（図示省略）にいったん格納する。そして、画像が紙面に対してどのような配置なるかをディスプレイ４７上に表示する。
【００８４】
ディスプレイ４７上で配置を見たユーザは、操作ボタン４８を使って識別番号を紙面に対してどの位置に配置するかを指定する。
【００８５】
そして、このようにユーザによって指定されることで識別番号の配置が決定し、紙面に対して配置が決定した識別番号と画像情報とは、ユーザからの印刷の指示に従って、実際の印刷へと作業を移し、印刷部４４から印刷される。
【００８６】
次に、このような第二の実施形態に係る画像情報出力装置２及びプリンタ４１の動作フローを、図７に示すフローチャートに従って説明する。図４と共通する工程には同一符号を付し、それらの説明は省略する。
【００８７】
図４に示すフローチャートにおけるステップＳ１と同じ工程を経て対象となる画像情報が保護されたものであると判断され（ステップＳ２：Ｙ）、ステップＳ３において画像情報に著作権者情報があると判断された場合（ステップＳ３：Ｙ）、著作権者情報をプリンタ４１に送信する（ステップＳ１４）。画像情報に著作権情報があるか否かの判断は上記第一の実施形態の場合と同じである。
【００８８】
初期動作（ステップＳ２１）を終了し受信準備ができているプリンタ４１は、画像情報出力装置２から送信される著作権情報を受信して（ステップＳ２２）メモリバッファに一時保管する（ステップＳ２３）。
【００８９】
一方、ステップＳ３において画像情報に付帯する著作権者情報はないと判断された場合（ステップＳ３：Ｎ）、その画像情報が著作権により保護された情報であることを示す情報を生成してプリンタ４１に送信する（ステップＳ１５）。画像情報が著作権により保護された情報であることを示す情報は上記第一の実施形態の場合と同じである。
【００９０】
画像情報が著作権により保護された情報であることを示す情報を受信したプリンタ４１はその受信した著作権情報をメモリバッファに一時保管する（ステップＳ２２及びＳ２３）。
【００９１】
ステップＳ１４において著作権者情報がプリンタ４１に送信された後、或いは、ステップＳ１５において画像情報が著作権により保護された情報であること示す情報がプリンタ４１に送信された後、画像情報再生装置の識別番号がプリンタ４１に送信される（ステップＳ１６）。識別番号は上記第一の実施形態の場合と同じである。
【００９２】
識別番号を受信したプリンタ４１はその受信した識別番号をメモリバッファに一時保管する（ステップＳ２４及びＳ２５）。
【００９３】
ステップＳ２において画像情報が著作権により保護されたものではないと判断された場合（ステップＳ２：Ｎ）、或いは、ステップＳ１６において識別情報がプリンタ４１に送信された後、画像情報はプリンタ４１に送信される（ステップＳ７）。
【００９４】
画像情報を受信したプリンタ４１はその受信した画像情報をメモリバッファに一時保管する（ステップＳ２６及びＳ２７）。
【００９５】
そして、上記プリンタ４１の動作説明にて説明した方法によって、識別番号と画像情報との配置が決定されて（ステップＳ２８）実際に印刷される（ステップＳ２９）。以上により、本フローチャートは終了する。
【００９６】
ここで、第二の実施形態においては、例えば、ステップＳ２２，Ｓ２４，Ｓ２６の処理が実行されることにより請求項１３に記載の「受信制御手段」が、ステップＳ２８の処理が実行されることにより請求項１３に記載の「配置決定手段」が、ステップＳ２９の処理が実行されることにより請求項１３に記載の「印刷制御手段」が、実現される。
【００９７】
以上に説明したように、第二の実施形態に係る画像情報出力装置２とプリンタ４１によれば、著作権により保護された画像情報とそれを復号化した画像情報出力装置２の識別番号とが別々にプリンタ４１に送信されるので、この画像情報と識別番号とを受け取ったプリンタ４１は、画像情報と識別番号との印刷の配置を決定する自由度を有することになる。印刷した場合には、印刷物を頼りにその画像情報の出所を追跡調査することが可能となる点は上記第一の実施形態と同じである。
【００９８】
以上をまとめると、画像情報が著作権により保護されていると判断されたとき、画像情報と識別番号とを出力する画像情報出力装置２と接続したプリンタ４１は、画像情報装置が出力する画像情報と識別番号とを受信する受信部４２と、受信した画像情報と識別番号の印刷時の配置を決定する配置決定部４３と、決定された配置に基づいて画像情報と識別番号とを印刷する印刷部４４と、を有する。
【００９９】
印刷プログラムは、画像情報が著作権により保護されていると判断されたとき、画像情報と識別番号とを出力する画像情報出力装置２と接続したプリンタ４１に含まれるコンピュータを、画像情報装置が出力する画像情報と識別番号の受信を制御する受信制御手段と、受信した画像情報と識別番号の印刷時の配置を決定する配置決定手段と、決定された配置に基づいて画像情報と識別番号とを印刷させる印刷制御手段、として機能させる。
【０１００】
なお、本願の第二の実施形態は上記に限定されるものではなく、例えば以下のように変形してもよい。
【０１０１】
識別番号と画像情報との配置案を予め複数用意し、操作ボタン４８を使ってその配置案の中からいずれかをユーザに選択させるようにしてもよい。
【０１０２】
また、図７に示したフローチャートに対応するプログラムをフレキシブルディスク又はハードディスク等の情報記録媒体に記録しておき、又はプログラムをインターネット等のネットワーク、または電話回線を介して配信して記録しておき、これを上記配置決定部４３に備えられている汎用のマイクロコンピュータ等により読み出して実行させることにより、各マイクロコンピュータ等を夫々上記配置決定部４３として機能させることも可能である。
【０１０３】
上記第二の実施形態では、出力先をプリンタ４１に限定して説明をしたが、これに限定されるものではなく、画像情報を記録媒体に記録する記録装置に対して出力する場合であっても良い。
【０１０４】
また、上記第一及び第二の実施形態では、画像信号を復号化した画像情報出力装置の機器を特定し識別する機器固有番号を識別番号として画像情報とともに出力する場合について説明したが、本願はこれに限定されることなく、別の応用も可能である。例えば、画像を印刷した印刷機を特定する情報を画像とともに印刷により出力するように応用すること、或いは、記録媒体に記録する記録装置を特定する情報を画像情報とともに記録媒体に記録するように応用することも可能である。印刷物を見てきれいだ、どの印刷機によって、印刷されたのだろうか、という疑問が生じたときに、画像とともに印刷機の機種を特定する番号を出力していれば、印刷物から追跡調査することが可能且つ容易になる。また、記録装置を特定する情報を記録媒体中に記録することで、著作権保護された画像情報の違法に複製記録しようとする者に対して心理的な抑止力としての効果がある。
【図面の簡単な説明】
【０１０５】
【図１】図１は、第一の実施形態に係る画像情報出力装置１の構成を示す簡易ブロック図を示す。
【図２】図２は、画像情報に含まれる著作権に関する情報の内容を示す。
【図３】図３は、画像情報再生装置が使われる機器の種類によって異なる識別番号の内容を示す。
【図４】図４は、画像情報出力装置１の画像情報出力方法のフローチャートを示す。
【図５】図５は、識別情報込み画像情報を実際に印刷したときの例を示す。
【図６】図６は、第二の実施形態に係る画像情報出力装置２及びプリンタ４１の構成を示す簡易ブロック図を示す。
【図７】図７は、画像情報出力装置２及びプリンタ４１の画像情報出力方法及び印刷方法のフローチャートを示す。
【符号の説明】
【０１０６】
１：画像情報出力装置
２：画像情報出力装置
１３：判断部
１４：識別番号記録部
１５：生成部
１６：出力部
３１：プリンタ
３２：記録装置
３３：インターフェイス
３４：記録ヘッド
４１：プリンタ
４２：受信部
４３：配置決定部
４４：印刷部
【図１】
2009048221.tif 000003
【図２】
2009048221.tif 000004
【図３】
2009048221.tif 000005
【図４】
2009048221.tif 000006
【図５】
2009048221.tif 000007
【図６】
2009048221.tif 000008
【図７】
2009048221.tif 000009